(57)【要約】【課題】本発明は伸縮と時限設定可能の歯ブラシを開示した。【解決手段】時限設定箱を含み、前記時限設定箱の中には時限設定チャンバが設けられ、前記時限設定チャンバの中には時限設定機構が設けられ、前記時限設定機構は復帰箱を含み、前記時限設定機構は前記復帰箱の中に設けられた爪車チャンバを含み、前記爪車チャンバの左側には方向変更チャンバが設けられ、時限設定メインロッドが前記方向変更チャンバと前記復帰箱の右端面との間に回転できるように取り付けられ、時限設定機構の中のぜんまいばねがエネルギーを貯め、ぜんまいばねによりエネルギーを放ち、歯磨きの時間を設定し、歯磨きに使われた時間があまり長いあるいはあまり短いという問題を防ぎ、伸縮機構の中のネジ山メインブロックを回転させることによって歯ブラシの長さが調整でき、より多くの人が歯ブラシへのニーズを満足する。【選択図】図１
2020179138.tif 000002
【特許請求の範囲】
【請求項１】
正面視で、時限設定箱を含み、前記時限設定箱の中には時限設定チャンバが設けられ、前記時限設定チャンバの中には時限設定機構が設けられ、前記時限設定機構は復帰箱を含み、前記復帰箱の中には時限設定メインロッドが設けられ、前記時限設定メインロッドには第二歯車と第三歯車とが設けられ、前記第三歯車には第四歯車が噛合しており、前記時限設定機構は回しチャンバも含み、前記回しチャンバの中には回し盤が設けられ、前記時限設定機構の左側には起動機構が設けられ、前記起動機構はメインボタンチャンバと副連通チャンバとを含み、前記メインボタンチャンバの中にはメインボタンが設けられ、前記メインボタンの中にはメイン引っ掛かり溝が設けられ、前記メインボタンには連結ロッドが連結され、前記副連通チャンバの中には移動ブロックが設けられ、前記時限設定機構の左側には伸縮機構が設けられ、前記伸縮機構は副ネジ山ブロックを含み、前記副ネジ山ブロックの中には伸縮チャンバが設けられ、前記伸縮チャンバの中には補助回転ロッドが設けられ、前記伸縮機構の左側には磨き機構が設けられ、前記磨き機構は歯磨きブロックを含み、前記歯磨きブロックの中にはブラシ盤が設けられていることを特徴とする伸縮と時限設定可能の歯ブラシ。
【請求項２】
前記時限設定機構は前記復帰箱の中に設けられた爪車チャンバを含み、前記爪車チャンバの左側には方向変更チャンバが設けられ、前記時限設定メインロッドが前記方向変更チャンバと前記復帰箱の右端面との間に回転できるように取り付けられ、前記第二歯車が前記時限設定メインロッドの右端面に位置しており、前記時限設定チャンバの右側壁には固定ロッドが設けられ、前記固定ロッドの左端面には第一歯車が設けられ、前記第一歯車と前記第二歯車とが噛合しており、前記爪車チャンバの右側にはぜんまいばねチャンバが設けられ、前記ぜんまいばねチャンバと前記爪車チャンバとの間には時限設定副ロッドが回転できるように取り付けられ、前記時限設定副ロッドの右端面にはぜんまいばねが設けられ、前記時限設定メインロッドと前記時限設定副ロッドとが前記爪車チャンバの中に位置するところには時限設定歯車が設けられ、前記時限設定歯車の左端面にはメイン歯止めが設けられ、前記爪車チャンバの右側壁の中には位置制限溝が上下に対称的に設けられ、前記位置制限溝の中には位置制限ロッドがスライドできるように取り付けられ、前記位置制限ロッドの左端面にはメイン爪車が設けられ、上下の前記メイン爪車の間には時限設定チェーンが伝動できるように取り付けられ、前記爪車チャンバの左側には減速チャンバが設けられ、前記時限設定副ロッドの左端面には減速箱が設けられ、前記減速チャンバの左側には回しチャンバが設けられ、前記減速箱の左端面には前記回しチャンバの右側壁を貫通した減速ロッドが設けられ、前記回し盤が前記減速ロッドの左端面に位置しており、前記回し盤の左端面には駆動ロッドが設けられ、前記第三歯車が前記時限設定メインロッドの左端面に位置しており、前記方向変更チャンバと前記回しチャンバとの間には方向変更ロッドが回転できるように取り付けられ、前記第四歯車が前記方向変更ロッドの右端面に位置しており、前記第四歯車と前記第三歯車とが噛合しており、前記方向変更ロッドの左端面には副爪車が設けられ、前記副爪車の左端面には一周の従動ロッドが設けられ、前記時限設定箱の左端面には開閉箱が回転できるように取り付けられ、前記回しチャンバの左側には伝動チャンバが設けられ、前記伝動チャンバと前記回しチャンバとの間には回転ロッドが回転できるように取り付けられ、前記回転ロッドの右端面には復帰歯車が設けられ、前記復帰歯車の左端面には副歯止めが設けられていることを特徴とする請求項１に記載の伸縮と時限設定可能の歯ブラシ。
【請求項３】
前記起動機構は前記メインボタンチャンバの中にスライドできるように取り付けられら前記メインボタンを含み、前記メインボタンの底部端面と前記メインボタンチャンバの底壁との間にはメインボタンバネが設けられ、前記メイン引っ掛かり溝の頂壁には引っ掛かりブロックがヒンジによって取り付けられ、前記引っ掛かりブロックと前記メイン引っ掛かり溝の頂壁との間には引っ掛かりブロックバネが設けられ、前記メインボタンチャンバの左側には副引っ掛かり溝が連通するように設けられ、前記副引っ掛かり溝の上方には副ボタンチャンバが連通するように設けられ、前記副ボタンチャンバの中には副ボタンがスライドできるように取り付けられ、前記副ボタンの底部端面にはプッシュブロックが設けられ、前記副ボタンの底部端面と前記副ボタンチャンバの底壁との間には副ボタンバネが設けられ、前記移動ブロックが前記副連通チャンバの中にスライドできるように取り付けられ、前記移動ブロックの左端面には副連通ブロックが上下に対称的に設けられ、前記連結ロッドが前記メインボタンの底部端面と前記移動ブロックの頂部端面との間に位置しており、前記副連通チャンバと前記伝動チャンバとが連通しており、前記伝動チャンバの前後壁の間には伝動ロッドが回転できるように取り付けられ、前記伝動ロッドには伝動歯車が設けられ、前記伝動歯車と前記移動ブロックとが噛合しており、前記伝動ロッドが前記伝動歯車の前側に位置したところには第一傘歯車が設けられ、前記回転ロッドの左端面には第二傘歯車が設けられ、前記第二傘歯車と前記第一傘歯車とが噛合しており、前記副連通チャンバの左側にはメイン連通チャンバが連通しており、前記メイン連通チャンバの左側壁の中にはモーターが設けられ、前記モーターの右端面には電線が上下に対称的に連結され、前記電線の右端面にはメイン連通ブロックが設けられていることを特徴とする請求項１に記載の伸縮と時限設定可能の歯ブラシ。
【請求項４】
前記伸縮機構は前記開閉箱の左側壁に回転できるように取り付けられたネジ山メインブロックを含み、副ネジ山ブロックが前記ネジ山メインブロックの中にねじ山によって取り付けられ、前記モーターのうち左向きの出力軸の左端面には前記伸縮チャンバの右側壁を貫通したモーターロッドが設けられ、前記補助回転ロッドが前記伸縮チャンバの中に回転できるように取り付けられ、前記補助回転ロッドの中にはメインスライド溝が設けられ、前記メインスライド溝には副スライド溝が上下に対称的に連通するように設けられ、前記モーターロッドと前記メインスライド溝とがスライドできるように取り付けられ、前記モーターロッドの左端面にはスライド制限ブロックが上下に対称的に設けられ、前記スライド制限ブロックと前記副スライド溝とがスライドできるように取り付けられていることを特徴とする請求項１に記載の伸縮と時限設定可能の歯ブラシ。
【請求項５】
前記磨き機構は前記副ネジ山ブロックの左端面に位置した歯磨きブロックを含み、前記歯磨きブロックの中には噛合チャンバが設けられ、前記補助回転ロッドが左へ伸びて前記噛合チャンバの右側壁を貫通しており、前記補助回転ロッドの左端面には噛合歯車が設けられ、前記ブラシ盤が前記歯磨きブロックの底部端面の中に回転できるように取り付けられ、前記ブラシ盤の頂部端面と前記噛合歯車の底部端面とが噛合しており、前記ブラシ盤の底部端面にはブラシが設けられていることを特徴とする請求項１に記載の伸縮と時限設定可能の歯ブラシ。
【発明の詳細な説明】
【技術分野】
【０００１】
本発明は歯ブラシ分野を取り上げて、具体的には伸縮と時限設定可能の歯ブラシである。
【背景技術】
【０００２】
歯の健康を守るため、歯ブラシが毎日に使われており、現有の技術の中、一般的な歯ブラシは歯磨きの時間を設定できなく、歯磨きの時間があまり短ければ、歯をきれいに磨くことができなく、また歯磨きの時間があまり長ければ、歯の健康を壊すこともあり、より多くの人の歯磨きの習慣を満足するため、使用者が歯ブラシに対するニーズによって歯ブラシの長さを調整する必要があり、従って、伸縮可能で長さを変えることができ、且つ歯磨きの時間を設定することができる歯ブラシが必要とされる。
【先行技術文献】
【特許文献】
【０００３】
【特許文献１】中国特許出願公開第１０４２０３１４８号明細書
【発明の概要】
【発明が解決しようとする課題】
【０００４】
本発明の目的は伸縮と時限設定可能の歯ブラシを提供し、それは上記の現在の技術中の問題を解決できる。
【課題を解決するための手段】
【０００５】
時限設定箱を含み、前記時限設定箱の中には時限設定チャンバが設けられ、前記時限設定チャンバの中には時限設定機構が設けられ、前記時限設定機構は復帰箱を含み、前記復帰箱の中には時限設定メインロッドが設けられ、前記時限設定メインロッドには第二歯車と第三歯車とが設けられ、前記第三歯車には第四歯車が噛合しており、前記時限設定機構は回しチャンバも含み、前記回しチャンバの中には回し盤が設けられ、前記時限設定機構の左側には起動機構が設けられ、前記起動機構はメインボタンチャンバと副連通チャンバとを含み、前記メインボタンチャンバの中にはメインボタンが設けられ、前記メインボタンの中にはメイン引っ掛かり溝が設けられ、前記メインボタンには連結ロッドが連結され、前記副連通チャンバの中には移動ブロックが設けられ、前記時限設定機構の左側には伸縮機構が設けられ、前記伸縮機構は副ネジ山ブロックを含み、前記副ネジ山ブロックの中には伸縮チャンバが設けられ、前記伸縮チャンバの中には補助回転ロッドが設けられ、前記伸縮機構の左側には磨き機構が設けられ、前記磨き機構は歯磨きブロックを含み、前記歯磨きブロックの中にはブラシ盤が設けられている。
【０００６】
更の技術プラン、前記時限設定機構は前記復帰箱の中に設けられた爪車チャンバを含み、前記爪車チャンバの左側には方向変更チャンバが設けられ、前記時限設定メインロッドが前記方向変更チャンバと前記復帰箱の右端面との間に回転できるように取り付けられ、前記第二歯車が前記時限設定メインロッドの右端面に位置しており、前記時限設定チャンバの右側壁には固定ロッドが設けられ、前記固定ロッドの左端面には第一歯車が設けられ、前記第一歯車と前記第二歯車とが噛合しており、前記爪車チャンバの右側にはぜんまいばねチャンバが設けられ、前記ぜんまいばねチャンバと前記爪車チャンバとの間には時限設定副ロッドが回転できるように取り付けられ、前記時限設定副ロッドの右端面にはぜんまいばねが設けられ、前記時限設定メインロッドと前記時限設定副ロッドとが前記爪車チャンバの中に位置するところには時限設定歯車が設けられ、前記時限設定歯車の左端面にはメイン歯止めが設けられ、前記爪車チャンバの右側壁の中には位置制限溝が上下に対称的に設けられ、前記位置制限溝の中には位置制限ロッドがスライドできるように取り付けられ、前記位置制限ロッドの左端面にはメイン爪車が設けられ、上下の前記メイン爪車の間には時限設定チェーンが伝動できるように取り付けられ、前記爪車チャンバの左側には減速チャンバが設けられ、前記時限設定副ロッドの左端面には減速箱が設けられ、前記減速チャンバの左側には回しチャンバが設けられ、前記減速箱の左端面には前記回しチャンバの右側壁を貫通した減速ロッドが設けられ、前記回し盤が前記減速ロッドの左端面に位置しており、前記回し盤の左端面には駆動ロッドが設けられ、前記第三歯車が前記時限設定メインロッドの左端面に位置しており、前記方向変更チャンバと前記回しチャンバとの間には方向変更ロッドが回転できるように取り付けられ、前記第四歯車が前記方向変更ロッドの右端面に位置しており、前記第四歯車と前記第三歯車とが噛合しており、前記方向変更ロッドの左端面には副爪車が設けられ、前記副爪車の左端面には一周の従動ロッドが設けられ、前記時限設定箱の左端面には開閉箱が回転できるように取り付けられ、前記回しチャンバの左側には伝動チャンバが設けられ、前記伝動チャンバと前記回しチャンバとの間には回転ロッドが回転できるように取り付けられ、前記回転ロッドの右端面には復帰歯車が設けられ、前記復帰歯車の左端面には副歯止めが設けられている。
【０００７】
更の技術プラン、前記起動機構は前記メインボタンチャンバの中にスライドできるように取り付けられら前記メインボタンを含み、前記メインボタンの底部端面と前記メインボタンチャンバの底壁との間にはメインボタンバネが設けられ、前記メイン引っ掛かり溝の頂壁には引っ掛かりブロックがヒンジによって取り付けられ、前記引っ掛かりブロックと前記メイン引っ掛かり溝の頂壁との間には引っ掛かりブロックバネが設けられ、前記メインボタンチャンバの左側には副引っ掛かり溝が連通するように設けられ、前記副引っ掛かり溝の上方には副ボタンチャンバが連通するように設けられ、前記副ボタンチャンバの中には副ボタンがスライドできるように取り付けられ、前記副ボタンの底部端面にはプッシュブロックが設けられ、前記副ボタンの底部端面と前記副ボタンチャンバの底壁との間には副ボタンバネが設けられ、前記移動ブロックが前記副連通チャンバの中にスライドできるように取り付けられ、前記移動ブロックの左端面には副連通ブロックが上下に対称的に設けられ、前記連結ロッドが前記メインボタンの底部端面と前記移動ブロックの頂部端面との間に位置しており、前記副連通チャンバと前記伝動チャンバとが連通しており、前記伝動チャンバの前後壁の間には伝動ロッドが回転できるように取り付けられ、前記伝動ロッドには伝動歯車が設けられ、前記伝動歯車と前記移動ブロックとが噛合しており、前記伝動ロッドが前記伝動歯車の前側に位置したところには第一傘歯車が設けられ、前記回転ロッドの左端面には第二傘歯車が設けられ、前記第二傘歯車と前記第一傘歯車とが噛合しており、前記副連通チャンバの左側にはメイン連通チャンバが連通しており、前記メイン連通チャンバの左側壁の中にはモーターが設けられ、前記モーターの右端面には電線が上下に対称的に連結され、前記電線の右端面にはメイン連通ブロックが設けられている。
【０００８】
更の技術プラン、前記伸縮機構は前記開閉箱の左側壁に回転できるように取り付けられたネジ山メインブロックを含み、副ネジ山ブロックが前記ネジ山メインブロックの中にねじ山によって取り付けられ、前記モーターのうち左向きの出力軸の左端面には前記伸縮チャンバの右側壁を貫通したモーターロッドが設けられ、前記補助回転ロッドが前記伸縮チャンバの中に回転できるように取り付けられ、前記補助回転ロッドの中にはメインスライド溝が設けられ、前記メインスライド溝には副スライド溝が上下に対称的に連通するように設けられ、前記モーターロッドと前記メインスライド溝とがスライドできるように取り付けられ、前記モーターロッドの左端面にはスライド制限ブロックが上下に対称的に設けられ、前記スライド制限ブロックと前記副スライド溝とがスライドできるように取り付けられている。
【０００９】
更の技術プラン、前記磨き機構は前記副ネジ山ブロックの左端面に位置した歯磨きブロックを含み、前記歯磨きブロックの中には噛合チャンバが設けられ、前記補助回転ロッドが左へ伸びて前記噛合チャンバの右側壁を貫通しており、前記補助回転ロッドの左端面には噛合歯車が設けられ、前記ブラシ盤が前記歯磨きブロックの底部端面の中に回転できるように取り付けられ、前記ブラシ盤の頂部端面と前記噛合歯車の底部端面とが噛合しており、前記ブラシ盤の底部端面にはブラシが設けられている。
【発明の効果】
【００１０】
本発明の構造が簡単で、操作が便利であり、時限設定箱を回転させることによって時限設定機構の中のぜんまいばねがエネルギーを貯め、ぜんまいばねによりエネルギーを放ち、歯磨きの時間を設定し、歯磨きに使われた時間があまり長いあるいはあまり短いという問題を防ぎ、伸縮機構の中のネジ山メインブロックを回転させることによって歯ブラシの長さが調整でき、より多くの人が歯ブラシへのニーズを満足し、普及価値がある。
【図面の簡単な説明】
【００１１】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の構成略図
【図２】図２は図１のＡ―Ａの断面構成略図
【図３】図３は図１のＢ―Ｂの断面構成略図
【図４】図４は図１のＣの拡大略図
【発明を実施するための形態】
【００１３】
図１〜４を参照し、本発明の伸縮と時限設定可能の歯ブラシは、時限設定箱１６を含み、前記時限設定箱１６の中には時限設定チャンバ１５が設けられ、前記時限設定チャンバ１５の中には時限設定機構９０が設けられ、前記時限設定機構９０は復帰箱１７を含み、前記復帰箱１７の中には時限設定メインロッド１１が設けられ、前記時限設定メインロッド１１には第二歯車１２と第三歯車６３とが設けられ、前記第三歯車６３には第四歯車６２が噛合しており、前記時限設定機構９０は回しチャンバ２６も含み、前記回しチャンバ２６の中には回し盤２７が設けられ、前記時限設定機構９０の左側には起動機構９５が設けられ、前記起動機構９５はメインボタンチャンバ２９と副連通チャンバ５２とを含み、前記メインボタンチャンバ２９の中にはメインボタン３０が設けられ、前記メインボタン３０の中にはメイン引っ掛かり溝７９が設けられ、前記メインボタン３０には連結ロッド３１が連結され、前記副連通チャンバ５２の中には移動ブロック５１が設けられ、前記時限設定機構９０の左側には伸縮機構１００が設けられ、前記伸縮機構１００は副ネジ山ブロック４２を含み、前記副ネジ山ブロック４２の中には伸縮チャンバ８１が設けられ、前記伸縮チャンバ８１の中には補助回転ロッド４５が設けられ、前記伸縮機構１００の左側には磨き機構１０５が設けられ、前記磨き機構１０５は歯磨きブロック４６を含み、前記歯磨きブロック４６の中にはブラシ盤４９が設けられている。
【００１４】
前記時限設定機構９０は前記復帰箱１７の中に設けられた爪車チャンバ８２を含み、前記爪車チャンバ８２の左側には方向変更チャンバ６４が設けられ、前記時限設定メインロッド１１が前記方向変更チャンバ６４と前記復帰箱１７の右端面との間に回転できるように取り付けられ、前記第二歯車１２が前記時限設定メインロッド１１の右端面に位置しており、前記時限設定チャンバ１５の右側壁には固定ロッド１３が設けられ、前記固定ロッド１３の左端面には第一歯車１４が設けられ、前記第一歯車１４と前記第二歯車１２とが噛合しており、前記爪車チャンバ８２の右側にはぜんまいばねチャンバ１８が設けられ、前記ぜんまいばねチャンバ１８と前記爪車チャンバ８２との間には時限設定副ロッド２０が回転できるように取り付けられ、前記時限設定副ロッド２０の右端面にはぜんまいばね１９が設けられ、前記時限設定メインロッド１１と前記時限設定副ロッド２０とが前記爪車チャンバ８２の中に位置するところには時限設定歯車７１が設けられ、前記時限設定歯車７１の左端面にはメイン歯止め７０が設けられ、前記爪車チャンバ８２の右側壁の中には位置制限溝６５が上下に対称的に設けられ、前記位置制限溝６５の中には位置制限ロッド２１がスライドできるように取り付けられ、前記位置制限ロッド２１の左端面にはメイン爪車２２が設けられ、上下の前記メイン爪車２２の間には時限設定チェーン８３が伝動できるように取り付けられ、前記爪車チャンバ８２の左側には減速チャンバ２４が設けられ、前記時限設定副ロッド２０の左端面には減速箱２３が設けられ、前記減速チャンバ２４の左側には回しチャンバ２６が設けられ、前記減速箱２３の左端面には前記回しチャンバ２６の右側壁を貫通した減速ロッド２５が設けられ、前記回し盤２７が前記減速ロッド２５の左端面に位置しており、前記回し盤２７の左端面には駆動ロッド６６が設けられ、前記第三歯車６３が前記時限設定メインロッド１１の左端面に位置しており、前記方向変更チャンバ６４と前記回しチャンバ２６との間には方向変更ロッド６１が回転できるように取り付けられ、前記第四歯車６２が前記方向変更ロッド６１の右端面に位置しており、前記第四歯車６２と前記第三歯車６３とが噛合しており、前記方向変更ロッド６１の左端面には副爪車６９が設けられ、前記副爪車６９の左端面には一周の従動ロッド５８が設けられ、前記時限設定箱１６の左端面には開閉箱３３が回転できるように取り付けられ、前記回しチャンバ２６の左側には伝動チャンバ５７が設けられ、前記伝動チャンバ５７と前記回しチャンバ２６との間には回転ロッド２８が回転できるように取り付けられ、前記回転ロッド２８の右端面には復帰歯車６７が設けられ、前記復帰歯車６７の左端面には副歯止め６８が設けられ、これにより手動で時限設定箱１６を回転させてぜんまいばね１９を回転連動させ、時限設定を開始し、ぜんまいばね１９が反転して時限設定副ロッド２０を回転連動させ、上側のメイン爪車２２が回転しなく、時限設定副ロッド２０が回転ロッド２８を回転連動させ、副爪車６９が時限設定メインロッド１１を回転連動させ、下側のメイン爪車２２が回転しなく、第二歯車１２が回転し、時限設定箱１６が復帰する。
【００１５】
前記起動機構９５は前記メインボタンチャンバ２９の中にスライドできるように取り付けられら前記メインボタン３０を含み、前記メインボタン３０の底部端面と前記メインボタンチャンバ２９の底壁との間にはメインボタンバネ３２が設けられ、前記メイン引っ掛かり溝７９の頂壁には引っ掛かりブロック７７がヒンジによって取り付けられ、前記引っ掛かりブロック７７と前記メイン引っ掛かり溝７９の頂壁との間には引っ掛かりブロックバネ７８が設けられ、前記メインボタンチャンバ２９の左側には副引っ掛かり溝７４が連通するように設けられ、前記副引っ掛かり溝７４の上方には副ボタンチャンバ７５が連通するように設けられ、前記副ボタンチャンバ７５の中には副ボタン７６がスライドできるように取り付けられ、前記副ボタン７６の底部端面にはプッシュブロック７３が設けられ、前記副ボタン７６の底部端面と前記副ボタンチャンバ７５の底壁との間には副ボタンバネ７２が設けられ、前記移動ブロック５１が前記副連通チャンバ５２の中にスライドできるように取り付けられ、前記移動ブロック５１の左端面には副連通ブロック３４が上下に対称的に設けられ、前記連結ロッド３１が前記メインボタン３０の底部端面と前記移動ブロック５１の頂部端面との間に位置しており、前記副連通チャンバ５２と前記伝動チャンバ５７とが連通しており、前記伝動チャンバ５７の前後壁の間には伝動ロッド５５が回転できるように取り付けられ、前記伝動ロッド５５には伝動歯車５３が設けられ、前記伝動歯車５３と前記移動ブロック５１とが噛合しており、前記伝動ロッド５５が前記伝動歯車５３の前側に位置したところには第一傘歯車５４が設けられ、前記回転ロッド２８の左端面には第二傘歯車５６が設けられ、前記第二傘歯車５６と前記第一傘歯車５４とが噛合しており、前記副連通チャンバ５２の左側にはメイン連通チャンバ３７が連通しており、前記メイン連通チャンバ３７の左側壁の中にはモーター３８が設けられ、前記モーター３８の右端面には電線３６が上下に対称的に連結され、前記電線３６の右端面にはメイン連通ブロック３５が設けられ、手動でメインボタン３０を押して副連通ブロック３４とメイン連通ブロック３５とを通電させ、これによりモーター３８が作動し回転ロッド２８を回転連動させ、副爪車６９が回転しなく、時限設定をリセットする時、回転ロッド２８が移動ブロック５１を上へ移動連動させ、副連通ブロック３４とメイン連通ブロック３５とが離脱し、モーター３８が作動を止め、手動でモーター３８を止める時、手動で副ボタン７６を押し、モーター３８が作動を止める。
【００１６】
前記伸縮機構１００は前記開閉箱３３の左側壁に回転できるように取り付けられたネジ山メインブロック４０を含み、副ネジ山ブロック４２が前記ネジ山メインブロック４０の中にねじ山によって取り付けられ、前記モーター３８のうち左向きの出力軸の左端面には前記伸縮チャンバ８１の右側壁を貫通したモーターロッド３９が設けられ、前記補助回転ロッド４５が前記伸縮チャンバ８１の中に回転できるように取り付けられ、前記補助回転ロッド４５の中にはメインスライド溝４４が設けられ、前記メインスライド溝４４には副スライド溝４３が上下に対称的に連通するように設けられ、前記モーターロッド３９と前記メインスライド溝４４とがスライドできるように取り付けられ、前記モーターロッド３９の左端面にはスライド制限ブロック４１が上下に対称的に設けられ、前記スライド制限ブロック４１と前記副スライド溝４３とがスライドできるように取り付けられ、これにより手動でネジ山メインブロック４０を回転させることで、補助回転ロッド４５を左右に移動連動させ、モーターロッド３９がメインスライド溝４４の中でスライドする。
【００１７】
前記磨き機構１０５は前記副ネジ山ブロック４２の左端面に位置した歯磨きブロック４６を含み、前記歯磨きブロック４６の中には噛合チャンバ４８が設けられ、前記補助回転ロッド４５が左へ伸びて前記噛合チャンバ４８の右側壁を貫通しており、前記補助回転ロッド４５の左端面には噛合歯車４７が設けられ、前記ブラシ盤４９が前記歯磨きブロック４６の底部端面の中に回転できるように取り付けられ、前記ブラシ盤４９の頂部端面と前記噛合歯車４７の底部端面とが噛合しており、前記ブラシ盤４９の底部端面にはブラシ５０が設けられ、これによりモーター３８が作動しブラシ盤４９を回転連動させ、ブラシ５０が歯を磨く。
【００１８】
使用する時、手動で時限設定箱１６を回転させ、これにより固定ロッド１３を回転連動させ、固定ロッド１３が回転し第一歯車１４を回転連動させ、第一歯車１４が第二歯車１２との噛合により時限設定メインロッド１１を回転連動させ、時限設定メインロッド１１が回転し下側の時限設定歯車７１を回転連動させ、下側の時限設定歯車７１が回転しメイン歯止め７０により下側のメイン爪車２２を回転連動させ、下側のメイン爪車２２が回転し時限設定チェーン８３により上側のメイン爪車２２を回転連動させ、上側のメイン爪車２２が回転し時限設定副ロッド２０を回転連動させ、時限設定副ロッド２０が回転しぜんまいばね１９を回転連動させ、時限設定を開始し、ぜんまいばね１９が反転して時限設定副ロッド２０を回転連動させ、上側のメイン爪車２２が回転しなく、時限設定副ロッド２０が回転し減速箱２３により減速ロッド２５を回転連動させ、減速ロッド２５が回転し回し盤２７を回転連動させ、回し盤２７が回転し駆動ロッド６６により従動ロッド５８を回し、副爪車６９を回転連動させ、副爪車６９が回転し副歯止め６８により復帰歯車６７を回転連動させ、復帰歯車６７が回転し回転ロッド２８を回転連動させ、副爪車６９が回転し方向変更ロッド６１を回転連動させ、方向変更ロッド６１が回転し第四歯車６２を回転連動させ、第四歯車６２が第三歯車６３との噛合により時限設定メインロッド１１を回転連動させ、下側のメイン爪車２２が回転しなく、時限設定メインロッド１１が回転し第二歯車１２を回転連動させ、時限設定箱１６が復帰し、手動でメインボタン３０を押し、引っ掛かりブロック７７が副引っ掛かり溝７４の中に入り引っ掛かり、連結ロッド３１が下へ移動し移動ブロック５１を下へ移動連動させ、移動ブロック５１が下へ移動し副連通ブロック３４とメイン連通ブロック３５とを通電させ、モーター３８が作動し、移動ブロック５１が下へ移動し伝動歯車５３を回転連動させ、伝動により第二傘歯車５６を回転連動させ、第二傘歯車５６が回転し回転ロッド２８を回転連動させ、副爪車６９が回転しなく、時限設定をリセットする時、回転ロッド２８が回転し第二傘歯車５６を回転連動させ、第二傘歯車５６が第一傘歯車５４との噛合により伝動ロッド５５を回転連動させ、伝動ロッド５５が回転し伝動歯車５３を回転連動させ、伝動歯車５３が回転し移動ブロック５１を上へ移動連動させ、副連通ブロック３４とメイン連通ブロック３５とが離脱し、モーター３８が作動を止め、手動でモーター３８を止める時、手動で副ボタン７６を押し、プッシュブロック７３を下へ移動連動させ、引っ掛かりブロック７７をプッシュして復帰させ、メインボタン３０が上へ移動し、モーター３８が作動を止め、手動でネジ山メインブロック４０を回転させ、副ネジ山ブロック４２を左右に移動連動させ、副ネジ山ブロック４２が左右に移動し補助回転ロッド４５を左右に移動連動させ、モーターロッド３９がメインスライド溝４４の中でスライドし、歯ブラシの長さを調整し、モーター３８が作動しモーターロッド３９を回転連動させ、モーターロッド３９が回転し補助回転ロッド４５を回転連動させ、補助回転ロッド４５が回転し噛合歯車４７を回転連動させ、噛合歯車４７が回転しブラシ盤４９との噛合によりブラシ盤４９を回転連動させ、ブラシ５０が歯を磨く。
【００１９】
有益効果は：本発明の構造が簡単で、操作が便利であり、時限設定箱を回転させることによって時限設定機構の中のぜんまいばねがエネルギーを貯め、ぜんまいばねによりエネルギーを放ち、歯磨きの時間を設定し、歯磨きに使われた時間があまり長いあるいはあまり短いという問題を防ぎ、伸縮機構の中のネジ山メインブロックを回転させることによって歯ブラシの長さが調整でき、より多くの人が歯ブラシへのニーズを満足し、普及価値がある。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020179138.tif 000003
【図２】
2020179138.tif 000004
【図３】
2020179138.tif 000005
【図４】
2020179138.tif 000006
【手続補正書】
【提出日】令和2年2月12日(2020.2.12)
【手続補正１】
【補正対象書類名】特許請求の範囲
【補正対象項目名】全文
【補正方法】変更
【補正の内容】
【特許請求の範囲】
【請求項１】
正面視で、時限設定箱を含み、前記時限設定箱の中には時限設定チャンバが設けられ、前記時限設定チャンバの中には時限設定機構が設けられ、前記時限設定機構は復帰箱を含み、前記復帰箱の中には時限設定メインロッドが設けられ、前記時限設定メインロッドには第二歯車と第三歯車とが設けられ、前記第三歯車には第四歯車が噛合しており、前記時限設定機構は回しチャンバも含み、前記回しチャンバの中には回し盤が設けられ、前記時限設定機構の左側には起動機構が設けられ、前記起動機構はメインボタンチャンバと副連通チャンバとを含み、前記メインボタンチャンバの中にはメインボタンが設けられ、前記メインボタンの中にはメイン引っ掛かり溝が設けられ、前記メインボタンには連結ロッドが連結され、前記副連通チャンバの中には移動ブロックが設けられ、前記時限設定機構の左側には伸縮機構が設けられ、前記伸縮機構は副ネジ山ブロックを含み、前記副ネジ山ブロックの中には伸縮チャンバが設けられ、前記伸縮チャンバの中には補助回転ロッドが設けられ、前記伸縮機構の左側には磨き機構が設けられ、前記磨き機構は歯磨きブロックを含み、前記歯磨きブロックの中にはブラシ盤が設けられ、
前記時限設定機構は前記復帰箱の中に設けられた爪車チャンバを含み、前記爪車チャンバの左側には方向変更チャンバが設けられ、前記時限設定メインロッドが前記方向変更チャンバと前記復帰箱の右端面との間に回転できるように取り付けられ、前記第二歯車が前記時限設定メインロッドの右端面に位置しており、前記時限設定チャンバの右側壁には固定ロッドが設けられ、前記固定ロッドの左端面には第一歯車が設けられ、前記第一歯車と前記第二歯車とが噛合しており、前記爪車チャンバの右側にはぜんまいばねチャンバが設けられ、前記ぜんまいばねチャンバと前記爪車チャンバとの間には時限設定副ロッドが回転できるように取り付けられ、前記時限設定副ロッドの右端面にはぜんまいばねが設けられ、前記時限設定メインロッドと前記時限設定副ロッドとが前記爪車チャンバの中に位置するところには時限設定歯車が設けられ、前記時限設定歯車の左端面にはメイン歯止めが設けられ、前記爪車チャンバの右側壁の中には位置制限溝が上下に対称的に設けられ、前記位置制限溝の中には位置制限ロッドがスライドできるように取り付けられ、前記位置制限ロッドの左端面にはメイン爪車が設けられ、上下の前記メイン爪車の間には時限設定チェーンが伝動できるように取り付けられ、前記爪車チャンバの左側には減速チャンバが設けられ、前記時限設定副ロッドの左端面には減速箱が設けられ、前記減速チャンバの左側には回しチャンバが設けられ、前記減速箱の左端面には前記回しチャンバの右側壁を貫通した減速ロッドが設けられ、前記回し盤が前記減速ロッドの左端面に位置しており、前記回し盤の左端面には駆動ロッドが設けられ、前記第三歯車が前記時限設定メインロッドの左端面に位置しており、前記方向変更チャンバと前記回しチャンバとの間には方向変更ロッドが回転できるように取り付けられ、前記第四歯車が前記方向変更ロッドの右端面に位置しており、前記第四歯車と前記第三歯車とが噛合しており、前記方向変更ロッドの左端面には副爪車が設けられ、前記副爪車の左端面には一周の従動ロッドが設けられ、前記時限設定箱の左端面には開閉箱が回転できるように取り付けられ、前記回しチャンバの左側には伝動チャンバが設けられ、前記伝動チャンバと前記回しチャンバとの間には回転ロッドが回転できるように取り付けられ、前記回転ロッドの右端面には復帰歯車が設けられ、前記復帰歯車の左端面には副歯止めが設けられ、
前記起動機構は前記メインボタンチャンバの中にスライドできるように取り付けられら前記メインボタンを含み、前記メインボタンの底部端面と前記メインボタンチャンバの底壁との間にはメインボタンバネが設けられ、前記メイン引っ掛かり溝の頂壁には引っ掛かりブロックがヒンジによって取り付けられ、前記引っ掛かりブロックと前記メイン引っ掛かり溝の頂壁との間には引っ掛かりブロックバネが設けられ、前記メインボタンチャンバの左側には副引っ掛かり溝が連通するように設けられ、前記副引っ掛かり溝の上方には副ボタンチャンバが連通するように設けられ、前記副ボタンチャンバの中には副ボタンがスライドできるように取り付けられ、前記副ボタンの底部端面にはプッシュブロックが設けられ、前記副ボタンの底部端面と前記副ボタンチャンバの底壁との間には副ボタンバネが設けられ、前記移動ブロックが前記副連通チャンバの中にスライドできるように取り付けられ、前記移動ブロックの左端面には副連通ブロックが上下に対称的に設けられ、前記連結ロッドが前記メインボタンの底部端面と前記移動ブロックの頂部端面との間に位置しており、前記副連通チャンバと前記伝動チャンバとが連通しており、前記伝動チャンバの前後壁の間には伝動ロッドが回転できるように取り付けられ、前記伝動ロッドには伝動歯車が設けられ、前記伝動歯車と前記移動ブロックとが噛合しており、前記伝動ロッドが前記伝動歯車の前側に位置したところには第一傘歯車が設けられ、前記回転ロッドの左端面には第二傘歯車が設けられ、前記第二傘歯車と前記第一傘歯車とが噛合しており、前記副連通チャンバの左側にはメイン連通チャンバが連通しており、前記メイン連通チャンバの左側壁の中にはモーターが設けられ、前記モーターの右端面には電線が上下に対称的に連結され、前記電線の右端面にはメイン連通ブロックが設けられ、
手動でメインボタンを押して副連通ブロックとメイン連通ブロックとを通電させ、これによりモーターが作動し回転ロッドを回転連動させ、副爪車が回転しなく、時限設定をリセットする時、回転ロッドが移動ブロックを上へ移動連動させ、副連通ブロックとメイン連通ブロックとが離脱し、モーターが作動を止め、手動でモーターを止める時、手動で副ボタンを押し、モーターが作動を止め、
前記伸縮機構は前記開閉箱の左側壁に回転できるように取り付けられたネジ山メインブロックを含み、副ネジ山ブロックが前記ネジ山メインブロックの中にねじ山によって取り付けられ、前記モーターのうち左向きの出力軸の左端面には前記伸縮チャンバの右側壁を貫通したモーターロッドが設けられ、前記補助回転ロッドが前記伸縮チャンバの中に回転できるように取り付けられ、前記補助回転ロッドの中にはメインスライド溝が設けられ、前記メインスライド溝には副スライド溝が上下に対称的に連通するように設けられ、前記モーターロッドと前記メインスライド溝とがスライドできるように取り付けられ、前記モーターロッドの左端面にはスライド制限ブロックが上下に対称的に設けられ、前記スライド制限ブロックと前記副スライド溝とがスライドできるように取り付けられ、
前記磨き機構は前記副ネジ山ブロックの左端面に位置した歯磨きブロックを含み、前記歯磨きブロックの中には噛合チャンバが設けられ、前記補助回転ロッドが左へ伸びて前記噛合チャンバの右側壁を貫通しており、前記補助回転ロッドの左端面には噛合歯車が設けられ、前記ブラシ盤が前記歯磨きブロックの底部端面の中に回転できるように取り付けられ、前記ブラシ盤の頂部端面と前記噛合歯車の底部端面とが噛合しており、前記ブラシ盤の底部端面にはブラシが設けられていることを特徴とする伸縮と時限設定可能の歯ブラシ。